(57)【要約】【課題】複数の調光器に対するそれぞれ制御データを周期的に伝送するように設定された複数系統の調光信号を、１つの無線信号として多重化無線送信するように構成した無線調光照明システムにおいて、短い周期で多くの制御データを多重化伝送し得る無線信号化の適正なタイミングの設定を可能とした、複数系統の調光信号による効率的な調光制御ないし照明制御を行うことができる無線調光装置および無線調光照明システムを提供する。【解決手段】少なくとも２系統の調光信号の各制御データを１回の無線信号として多重化出力するように設定すると共に、前記いずれか１系統の調光信号の制御データの周期を基準として前記各制御データを多重化同期させて無線送信するように構成する。【選択図】　図２
2004030954.tif 000002
【特許請求の範囲】
【請求項１】
少なくとも２系統の調光信号の各制御データを１回の無線信号として多重化出力するように設定すると共に、前記いずれか１系統の調光信号の制御データの周期を基準として前記各制御データを多重化同期させて無線送信するように構成したことを特徴とする無線調光装置。
【請求項２】
少なくとも２系統の調光信号をそれぞれ有線伝送媒体を介して受信し、それぞれ受信された調光信号の各制御データを保存する制御データを保存すると共に前記各制御データの周期を計測して、いずれか１系統の調光信号の制御データの周期を基準にして前記各制御データを無線信号として多重化同期させて無線送信するように構成した調光信号／無線信号変換器と、
前記調光信号／無線信号変換器より無線送信される無線信号を受信して、前記２系統の調光信号の各制御データとして復元し、対応する複数の調光器に順次調光信号を伝送して各調光器に接続された照明負荷を調光制御するように構成した無線信号／調光信号復元器とを、備えることを特徴とする無線調光装置。
【請求項３】
前記基準とする周期からなるいずれか１系統の調光信号の制御データは、周期の長い１系統の調光信号の制御データの周期を基準として設定することを特徴とする請求項１または２記載の無線調光装置。
【請求項４】
前記基準とする周期からなるいずれか１系統の調光信号の制御データは、それぞれ同一周期の場合には、予め決定しておいたいずれか１系統の調光信号の制御データの周期を基準として設定することを特徴とする請求項１または２記載の無線調光装置。
【請求項５】
前記基準とする周期からなるいずれか１系統の調光信号の制御データは、いずれか１系統の調光信号に制御データのない場合には、制御データの有る他の系統の調光信号の制御データの周期に基づいて設定することを特徴とする請求項１または２記載の無線調光装置。
【請求項６】
請求項１ないし５のいずれかに記載の無線調光装置と、無線調光装置に対し、少なくとも２系統の調光信号を出力するように構成された調光卓と、前記無線調光装置により制御される少なくとも２系統からなる複数の調光器と、前記各調光器により調光制御されるランプ器具等の照明負荷と、から構成したことを特徴とする無線調光照明システム。
【発明の詳細な説明】
【０００１】
【発明の属する技術分野】本発明は、複数の照明負荷の点消灯や調光に関する制御を、調光卓において無線信号により一括して遠隔制御することができる無線調光装置および無線調光照明システムに関するものである。
【０００２】
【従来の技術】一般に、各種の演劇、芸能、イベント等を行う屋内外の会場においては、多数の照明器具からなる大規模な照明設備を設けると共に、これらの照明器具に対して部分的ないし全体的にそれぞれ時系列的な照明制御を行うことが要求される。
【０００３】
そこで、従来より、前述したような大規模な照明設備においては、調光卓から親機側信号線を介して入力した調光信号を無線親機で無線信号化し、複数の無線子機に無線送信して、これら無線子機により受信された調光信号により、それぞれの無線子機に接続された複数の調光器の制御を行い、各調光器に接続された照明器具の調光制御を行うように構成した無線調光照明システムが実用化されている。
【０００４】
このような無線調光照明システムとしては、一般に、遠隔調光制御および監視制御の全般を行うと共に、そのための操作手段を備えた調光卓と、この調光卓にケーブル等の有線伝送媒体で接続され、この有線伝送媒体を介して調光等の制御信号の伝送を行う複数の無線親機と、これら複数の無線親機と無線伝送媒体を介して前記制御信号の伝送を行う複数の無線子機と、これらの無線子機によって受信された前記制御信号に基づいて調光等の制御を行う複数の調光器および照明器具等とから構成されている。
【０００５】
そして、このような無線調光照明システムにおいては、調光卓によって、その操作に基づく調光信号等の制御信号が、有線伝送媒体に適した伝送形態、例えばＤＭＸ５１２のデジタル伝送規格に基づく伝送形態、となるように変換処理が施され、パケット化した制御信号として生成される。
【０００６】
なお、前記ＤＭＸ５１２のデジタル伝送規格とは、コントローラと照明負荷間のデジタル伝送を行う際の電気的特性を初め、データフォーマット、データプロトコル、コネクタ、ケーブル等の仕様をそれぞれ定めたものであり、例えば１パケット毎に、スタート信号およびストップ信号の制御信号を含み、複数の照明負荷に応じた５１２チャンネル分の制御信号のデジタル伝送を可能としたものである。従って、このデジタル伝送規格を採用することにより、コントローラと照明負荷との無線通信を、簡単なデジタル伝送プロトコルで実施することができ、しかも前記機器類の製造業者が相違するためにコントローラと照明負荷の互換性がないものでも、システムとしての構築が可能であるという利点がある。
【０００７】
【発明が解決しようとする課題】しかるに、前述したシステム構成による従来の無線調光照明システムでは、複数の調光器に対するそれぞれ制御データを周期的に伝送するように設定された１系統の調光信号を、無線信号に変換して無線送信し、この無線信号を受信してそれぞれ調光信号に復元し、対応する複数の調光器に順次調光信号を伝送して、各調光器に接続されたランプ器具等の照明負荷を調光制御するように構成される。
【０００８】
そこで、例えば２系統の調光信号をそれぞれタイミングを合わせて多重化し、１つの無線信号として変換し無線送信すると共に、この無線信号を受信してそれぞれ２系統の調光信号に復元するシステムを構築すれば、より効率的な調光制御ないし照明制御を行うことが可能となる。
【０００９】
しかるに、このように２系統の調光信号を１つの無線信号として多重化し無線送信する場合、２系統の調光信号のどのようなタイミングで多重化無線信号を出力するようにすれば、２系統の調光信号による適正かつ効率的な調光制御ないし照明制御を行うことができるかが問題となる。すなわち、２系統の調光信号は、それぞれ複数の調光器に対する制御データに関し、独立したタイミングと周期を持つ可能性があり、或いは制御データそのものがない場合もあることから、これら２系統の調光信号をより短い周期で多くの制御データを多重化伝送し得るように、無線信号化するタイミングの設定が重要である。
【００１０】
従って、本発明の目的は、複数の調光器に対するそれぞれ制御データを周期的に伝送するように設定された複数系統の調光信号を、１つの無線信号として多重化無線送信するように構成した無線調光照明システムにおいて、短い周期で多くの制御データを多重化伝送し得る無線信号化の適正なタイミングの設定を可能とした、複数系統の調光信号による効率的な調光制御ないし照明制御を行うことができる無線調光装置および無線調光照明システムを提供することにある。
【００１１】
【課題を解決するための手段】前記目的を達成するため、本発明に係る無線調光装置は、少なくとも２系統の調光信号の各制御データを１回の無線信号として多重化出力するように設定すると共に、前記いずれか１系統の調光信号の制御データの周期を基準として前記各制御データを多重化同期させて無線送信するように構成したことを特徴とする。
【００１２】
また、本発明に係る無線調光装置は、少なくとも２系統の調光信号をそれぞれ有線伝送媒体を介して受信し、それぞれ受信された調光信号の各制御データを保存する制御データを保存すると共に前記各制御データの周期を計測して、いずれか１系統の調光信号の制御データの周期を基準にして前記各制御データを無線信号として多重化同期させて無線送信するように構成した調光信号／無線信号変換器と、
前記調光信号／無線信号変換器より無線送信される無線信号を受信して、前記２系統の調光信号の各制御データとして復元し、対応する複数の調光器に順次調光信号を伝送して各調光器に接続された照明負荷を調光制御するように構成した無線信号／調光信号復元器とを、備えることを特徴とする。
【００１３】
前記の無線調光装置において、前記基準とする周期からなるいずれか１系統の調光信号の制御データは、周期の長い１系統の調光信号の制御データの周期を基準として設定することができる。
【００１４】
また、前記基準とする周期からなるいずれか１系統の調光信号の制御データは、それぞれ同一周期の場合には、予め決定しておいたいずれか１系統の調光信号の制御データの周期を基準として設定することができる。
【００１５】
さらに、前記基準とする周期からなるいずれか１系統の調光信号の制御データは、いずれか１系統の調光信号に制御データのない場合には、制御データの有る他の系統の調光信号の制御データの周期に基づいて設定することもできる。
【００１６】
そして、本発明に係る無線調光照明システムは、前記無線調光装置と、無線調光装置に対し、少なくとも２系統の調光信号を出力するように構成した調光卓と、この無線調光装置により制御される少なくとも２系統からなる複数の調光器と、前記各調光器により調光制御されるランプ器具等の照明負荷と、から構成したことを特徴とする。
【００１７】
【発明の実施の形態】次に、本発明に係る無線調光装置および無線調光照明システムの実施例につき、添付図面を参照しながら、以下詳細に説明する。
【００１８】
図１は、本発明に係る無線調光装置を適用した無線調光照明システムの概略システム構成を示すものである。すなわち、図１において、本発明の無線調光照明システムは、調光卓１１からそれぞれ有線伝送媒体を介して供給される２系統の調光信号を調光信号／無線信号変換器１０に入力して、２系統の調光信号の各制御データを多重化同期させて、１つの無線信号として出力するように構成されている。
【００１９】
これに対し、前記無線信号を受信して２系統の調光信号の各制御データに復元するための無線信号／調光信号復元器２０を設け、この無線信号／調光信号復元器２０により得られた２系統の調光信号の各制御データを、各種の照明器具に対する複数の調光器２１Ａ〜２１Ｅおよび複数のランプ器具３０Ａ〜３０Ｅを一括制御する調光器盤２２等に対し、それぞれ有線伝送媒体を介して供給し、各種照明負荷の点消灯や調光に関する制御を効率的に行うように構成される。
【００２０】
図２は、図１に示す無線調光装置の主要部である調光信号／無線信号変換器１０の構成例を示すブロック回路図である。図２において、本実施例の無線調光装置における調光信号／無線信号変換器１０は、調光卓１１（図１参照）からそれぞれ有線伝送媒体を介して供給される２系統の調光信号Ｓｄｍｘ１、Ｓｄｍｘ２を受信する信号受信部１２Ａ、１２Ｂと、前記信号受信部１２Ａ、１２Ｂにおいて受信された調光信号Ｓｄｍｘ１、Ｓｄｍｘ２の制御データを入力し、いずれか１系統の調光信号における制御データの周期を基準にして、前記２系統の調光信号Ｓｄｍｘ１、Ｓｄｍｘ２の各制御データを多重化同期させて出力するための制御手段を備えたＣＰＵ１４と、前記ＣＰＵ１４の出力信号を１つの無線信号に変換して送信する無線出力モジュール１８とから構成されている。
【００２１】
この場合、前記ＣＰＵ１４は、前記信号受信部１２Ａ、１２Ｂで受信された２系統の調光信号Ｓｄｍｘ１、Ｓｄｍｘ２の各制御データについて、それぞれ保存する制御データ保存手段１５と、前記調光信号Ｓｄｍｘ１、Ｓｄｍｘ２の各制御データの周期の計測を行う周期計測手段１６Ａ、１６Ｂと、前記周期計測手段１６Ａ、１６Ｂにより計測された制御データの周期に基づいてその比較と基準判定とを行って、前記制御データ保存手段１５に保存された制御データを多重化同期させて出力させる周期比較・基準判定出力手段１７とから構成されている。
【００２２】
そこで、前記構成からなる無線調光装置において、前記ＣＰＵ１４の周期比較・基準判定出力手段１７により、いずれか１系統の調光信号における制御データの周期を基準にして、２系統の調光信号Ｓｄｍｘ１、Ｓｄｍｘ２の各制御データを同期させて出力するプロセスにつき、図３に示す制御動作プログラムのフローチャート図を参照しながら説明する。
【００２３】
まず、信号受信部１２Ａ、１２Ｂにおいて制御データの受信が行われ（ＳＴＥＰ−１）、各制御データはＣＰＵ１４の制御データ保存手段１５に保存される（ＳＴＥＰ−２）。これと同時に、ＣＰＵ１４の周期計測手段１６Ａ、１６Ｂにおいて２系統の各制御データの受信状態が判断される（ＳＴＥＰ−３）。すなわち、この場合、いずれか１系統の制御データの受信が遮断と判断された際には、制御データの受信された他の１系統のみの制御データを出力するように設定される（ＳＴＥＰ−９）。
【００２４】
次に、２系統の調光信号の各制御データの受信状態がそれぞれ判断された際には（ＳＴＥＰ−４）、前記周期計測手段１６Ａ、１６Ｂにより受信された各制御データの周期の計測を行うと共に（ＳＴＥＰ−５）、計測された制御データの周期に基づいてその比較を行い、基準となる１系統の制御データについての周期の判断が行われる（ＳＴＥＰ−６）。
なお、２系統の調光信号の各制御データのいずれも受信されない場合には（ＳＴＥＰ−４）、無線信号の出力は行われない。
【００２５】
そこで、２系統の調光信号の各制御データが受信された場合において、基準となる１系統の調光信号の制御データの周期についての判断は、次のように設定される。
（１）周期の長い１系統の調光信号の制御データの周期を基準として、２系統の調光信号の制御データを１回の無線信号で多重化同期させて出力するように設定する（ＳＴＥＰ−７）。
（２）また、同一周期の場合には予め決定しておいたいずれか１系統の調光信号の制御データの周期を基準として、２系統の調光信号の制御データを１回の無線信号で多重化同期させて出力するように設定する（ＳＴＥＰ−８）。
なお、制御データの無い調光信号に対しては、前述したように、制御データの有る調光信号の制御データの周期に基づいて、１系統のみの調光信号の制御データを出力するように設定される（ＳＴＥＰ−９）。
【００２６】
図４の（ａ）、（ｂ）、（ｃ）は、前述した２系統の調光信号Ｓｄｍｘ１、Ｓｄｍｘ２の各制御データについて、いずれか１系統の調光信号における制御データの周期を基準にして、前記２系統の調光信号の各制御データを多重化同期させて出力する場合の各調光信号の制御データの周期とその位相関係を示すものである。すなわち、図４の（ａ）においては、それぞれ周期の異なる２系統の調光信号Ｓｄｍｘ１、Ｓｄｍｘ２の制御データを示すものである。この場合、調光信号Ｓｄｍｘ１の周期Ｔ１　は調光信号Ｓｄｍｘ２の周期Ｔ２　より長く設定されている（Ｔ１　＞Ｔ２　）。
【００２７】
そこで、前述したしたように、周期の長い１系統の調光信号Ｓｄｍｘ１の制御データの周期Ｔ１　を基準として、２系統の調光信号の制御データを１回の無線信号で多重化同期させて出力する場合には、図４の（ｂ）に示すように、短い周期Ｔ２　他の系統の調光信号Ｓｄｍｘ２の制御データは、基準となる長い周期Ｔ１　の調光信号Ｓｄｍｘ１の制御データと、タイミング良く同期した多重化無線信号として無線送信できることが確認される。
【００２８】
これに対して、周期の短い１系統の調光信号Ｓｄｍｘ２の制御データの周期Ｔ２　を基準として、２系統の調光信号の制御データを１回の無線信号で多重化同期させて出力する場合には、図４の（ｃ）に示すように、長い周期Ｔ１　他の系統の調光信号Ｓｄｍｘ１の制御データは、基準となる短い周期Ｔ２　の調光信号Ｓｄｍｘ２の制御データが、周期的に増大するため、多重化同期させると制御データの位相が順次ずれて遅れることになり、制御データの伝送効率が低下することは明らかである。
【００２９】
以上、本発明の好適な実施例について説明したが、本発明は前記実施例に限定されることなく、本発明の精神を逸脱しない範囲内において、種々の設計変更を行うことができることは勿論である。
【００３０】
【発明の効果】前述した実施例から明らかな通り、請求項１に記載の本発明に係る無線調光装置によれば、少なくとも２系統の調光信号の各制御データを１回の無線信号として多重化出力するように設定すると共に、前記いずれか１系統の調光信号の制御データの周期を基準として前記各制御データを多重化同期させて無線送信するように構成したことにより、複数の調光器に対するそれぞれ制御データを周期的に伝送するように設定された複数系統の調光信号を、１つの無線信号として多重化無線送信して、大規模な照明設備に対する調光制御を容易かつ効率的に達成することができる。
【００３１】
また、請求項２に記載の本発明に係る無線調光装置によれば、少なくとも２系統の調光信号をそれぞれ有線伝送媒体を介して受信し、それぞれ受信された調光信号の各制御データを保存する制御データを保存すると共に前記各制御データの周期を計測して、いずれか１系統の調光信号の制御データの周期を基準にして前記各制御データを無線信号として多重化同期させて無線送信するように構成した調光信号／無線信号変換器と、前記調光信号／無線信号変換器より無線送信される無線信号を受信して、前記２系統の調光信号の各制御データとして復元し、対応する複数の調光器に順次調光信号を伝送して各調光器に接続された照明負荷を調光制御するように構成した無線信号／調光信号復元器とを備えることにより、複数の調光器に対するそれぞれ制御データを周期的に伝送するように設定された複数系統の調光信号を、１つの無線信号として多重化無線送信して、大規模な照明設備に対して調光制御する装置を容易かつ簡便に実現することができる。
【００３２】
また、請求項３ないし５に記載の本発明に係る無線調光装置によれば、いずれか１系統の調光信号の制御データの周期を基準とする場合、周期の長い１系統の調光信号の制御データの周期を基準とし、また、それぞれ同一周期の場合には、予め決定しておいたいずれか１系統の調光信号の制御データの周期を基準とし、さらに、いずれか１系統の調光信号に制御データのない場合には、制御データの有る他の系統の調光信号の制御データの周期に基づくように設定することによって、短い周期で多くの制御データを伝送して、複数系統の調光信号による効率的な調光制御ないし照明制御を行うことができる。
【００３３】
さらに、請求項６に記載の本発明に係る無線調光照明システムによれば、請求項１ないし５のいずれかに記載の無線調光装置と、無線調光装置に対し、少なくとも２系統の調光信号を出力するように構成された調光卓と、前記無線調光装置により制御される少なくとも２系統からなる複数の調光器と、前記各調光器により調光制御されるランプ器具等の照明負荷とから構成したことにより、大規模な照明設備に対する調光制御を円滑かつ簡便に達成することができる。
【図面の簡単な説明】
【図１】本発明に係る無線調光装置を適用して構築した無線調光照明システムの概略システム構成図である。
【図２】本発明に係る無線調光装置の主要部である調光信号／無線信号変換器の構成例を示すブロック回路図である。
【図３】図２に示す調光信号／無線信号変換器において２系統の調光信号の制御データを１つの無線信号として出力するための周期比較と基準判定プロセスの制御動作プログラムを示すフローチャート図である。
【図４】本発明に係る無線調光装置による２系統の調光信号を１つの無線信号に多重化変換する場合の各調光信号の制御データの周期とその位相関係をそれぞれ示すものであって、（ａ）は周期の長い制御データと周期の短い制御データとの説明図、（ｂ）は周期の長い制御データの周期を基準とした場合の比較説明図、（ｃ）は周期の短い制御データの周期を基準とした場合の比較説明図である。
【符号の説明】
１０　調光信号／無線信号変換器
１１　調光卓
１２Ａ、１２Ｂ　信号受信部
１４　ＣＰＵ
１５　制御データ保存手段
１６Ａ、１６Ｂ　周期計測手段
１７　周期比較・基準判定出力手段
１８　無線信号出力モジュール
２０　無線信号／調光信号復元器
２１Ａ〜２１Ｅ　調光器
２２　調光器盤
３０Ａ〜３０Ｅ　ランプ器具（照明負荷）
【図１】
2004030954.tif 000003
【図２】
2004030954.tif 000004
【図３】
2004030954.tif 000005
【図４】
2004030954.tif 000006